(57)【要約】      （修正有）【課題】ベゼルに形成されている、保護板を装着するためのネジ穴が破損した際に、メンテナンス性に優れる画像表示装置を提供する。【解決手段】上ベゼルとは別体となった金具８を、上ベゼルの背面に配置する。ユーザーが保護板を装着するために使用するネジは、ネジタップが形成された金具８のボス８ｂへ螺合する。ネジ止め部を上ベゼルとは別体の金具８に設けることで、ネジ止め部のネジ山が破損した場合には、金具８のみを交換する。【選択図】図４
2016085258.tif 000002
【特許請求の範囲】
【請求項１】
画像を表示させる表示パネルと、前記表示パネルの周囲を覆う矩形状のベゼルと、を備える画像表示装置であって、
前記ベゼルは長辺と短辺それぞれ２辺で構成し、前記長辺と前記短辺の端部は離間しており、前記離間部を覆うように連結部を配置し、前記連結部が前記長辺と前記短辺を連結するように金具を配置し、前記金具にネジタップを形成していることを特徴とする画像表示装置。
【請求項２】
画像を表示させる表示パネルと、前記表示パネルの周囲を覆う矩形状のベゼルと、を備える画像表示装置であって、
前記ベゼルは長辺と短辺それぞれ２辺で構成し、前記長辺と前記短辺の端部は離間しており、前記離間部を覆うように連結部を配置し、前記連結部が前記長辺と前記短辺を連結するように金具を配置し、前記ベゼルの前記長辺または前記短辺にネジタップを形成したボス部が係合していることを特徴とする画像表示装置。
【請求項３】
画像を表示させる表示パネルと、前記表示パネルの周囲を覆う矩形状のベゼルと、を備える画像表示装置であって、
前記ベゼルは長辺と短辺それぞれ２辺で構成し、前記長辺と前記短辺の端部は離間しており、前記離間部を覆うように連結部を配置し、前記連結部にネジタップを形成していることを特徴とする画像表示装置。
【発明の詳細な説明】
【技術分野】
【０００１】
本発明は、画像表示装置の外装構造に関する。
【背景技術】
【０００２】
テレビ、コンピュータの端末、広告媒体、医療用機器、映像製作などの用途に、モニター（画像表示装置）が用いられている。これらの装置の基本構造は、面光源装置と表示パネルとを内蔵する画像表示部、電気回路部、それらを支持する構造部、更に外装部から成っている。特に映像制作に用途に使用される画像表示装置は、撮影現場等に使用される可能性があることから外装には堅牢性が求められる。よって、外装には金属を使用した金属外装が用いられることがある。
【０００３】
金属外装を装着した画像表示装置の場合、金属外装キャビネットを成形加工することができる成型加工方法を提供する技術が提案されていた。特許文献１に開示の技術では、金属製のフレームに、曲げ加工前に曲げ加工用の略逆台形曲げ穴を設け、加工時に互いに当接することでフレーム枠を形成することができる。
【０００４】
一方、外装は金属製にすることで内部部品の保護に貢献することができるが、画像を表示する表示パネルは、むき出しの場合が多い。そこで、ユーザーは、表示パネルを保護するために、該画像表示パネルの前面に保護板を装着する場合がある。
【０００５】
図９は一般的な映像制作用に用いられる画像表示装置の正面図である。画像表示装置１００は、表示パネル１０２を覆うように、外装部品であるベゼル１０１で周囲を覆われている。画像表示装置１００が自立できるように、脚部１０３がベゼル１０２の下部に２か所配置されている。ベゼル１０１の正面から見て４隅の部分に、ネジ穴１０１Ｈが空けられている。
【０００６】
ユーザーは、表示パネル１０２を保護するために、保護板（図示せず）を用意し、ネジ穴１０１Ｈを利用して、ネジ止めをして保護板を固定する。
【先行技術文献】
【特許文献】
【０００７】
【特許文献１】特許第５１４９４１９号公報
【発明の概要】
【発明が解決しようとする課題】
【０００８】
図９に示すような画像表示装置において、ユーザーが使用するネジ穴１０１Ｈは、ベゼル１０１に直接形成されている場合がある。前記の様に、映像制作用の画像表示装置は、堅牢性が求められているため、金属製のベゼルを使用する機種が多い。ベゼル１０１も金属製の場合が多く、例えばアルミニウムを使用した押し出し材やダイキャストで作成される場合が多い。すなわち、アルミニウム製のベゼル１０１の隅部に、直接ネジ穴１０１Ｈが形成されている。
【０００９】
該ネジ穴１０１Ｈはユーザーが必要に応じて使用するものであり、保護板を固定する場合は、ユーザーによっては強い力で締結する可能性がある。その時、ベゼル１０１に形成されているネジ穴１０１Ｈのネジ山が潰れて、ネジ山の破損を起こす可能性がある。ネジ山が破損を起こした場合、ネジで締結することができず、ネジが脱落してしまう。この場合、ネジ穴１０１Ｈはベゼル１０１に直接形成されているため、修理の際はベゼル１０１を全て交換しなければならないという課題がある。
【００１０】
本発明は、上記の課題に鑑みてなされたものであり、ベゼルに形成されているネジ穴が破損した際も、メンテナンス性に優れる画像表示装置を提供することを目的とする。
【課題を解決するための手段】
【００１１】
上記の目的を達成するために、請求項１の発明は、
画像を表示させる表示パネルと、前記表示パネルの周囲を覆う略矩形状のベゼルと、を備える画像表示装置であって、
前記ベゼルは長辺と短辺それぞれ２辺で構成され、前記長辺と前記短辺の端部は離間しており、前記離間部を覆うように連結部が配置され、前記連結部が前記長辺と前記短辺を連結するように金具が配置され、前記金具にネジタップを形成していることを特徴とする画像表示装置である。
【００１２】
請求項２の発明は、
画像を表示させる表示パネルと、前記表示パネルの周囲を覆う略矩形状のベゼルと、を備える画像表示装置であって、
前記ベゼルは長辺と短辺それぞれ２辺で構成され、前記長辺と前記短辺の端部は離間しており、前記離間部を覆うように連結部が配置され、前記連結部が前記長辺と前記短辺を連結するように金具が配置され、前記ベゼルの前記長辺または前記短辺にネジタップが形成されたボス部が係合していることを特徴とする画像表示装置である。
【００１３】
請求項３の発明は、
画像を表示させる表示パネルと、前記表示パネルの周囲を覆う略矩形状のベゼルと、を備える画像表示装置であって、
前記ベゼルは長辺と短辺それぞれ２辺で構成され、前記長辺と前記短辺の端部は離間しており、前記離間部を覆うように連結部が配置され、前記連結部にネジタップを形成していることを特徴とする画像表示装置である。
【発明の効果】
【００１４】
本発明によれば、ユーザーが使用するネジ穴部をベゼルと別体にすることで、ネジ山が破損を起こした際に、ネジ穴部を有する部分の交換で済むため、メンテナンス性に優れる画像表示装置の提供を実現できる。
【図面の簡単な説明】
【００１５】
【図１】第１の実施形態に係る画像表示装置の外観を示す正面図である。
【図２】第１の実施形態に係る画像表示装置の保護板を取り付ける場合の説明図である。
【図３】第１の実施形態に係る画像表示装置のベゼルの分解斜視図である。
【図４】第１の実施形態に係る画像表示装置のベゼルの隅部詳細図である。
【図５】第２の実施形態に係る画像表示装置のベゼルの分解斜視図である。
【図６】第２の実施形態に係る画像表示装置のベゼルの隅部詳細図である。
【図７】第３の実施形態に係る画像表示装置のベゼルの分解斜視図である。
【図８】第３の実施形態に係る画像表示装置のベゼルの隅部詳細図である。
【図９】従来の実施形態である画像表示装置の正面図である。
【発明を実施するための形態】
【００１６】
以下、本発明を実施するための形態を図面に基づいて詳細に説明する。
【００１７】
（実施例１）
図１は第１の実施形態に係る画像表示装置の正面図である。画像表示装置１は、画像を表示する表示パネルＰを正面の略中央に配置する。表示パネルＰは、液晶パネルや有機ＥＬパネル等、薄型の表示パネルであれば、前記に限られるものではない。液晶パネルの場合は、表示パネルＰの背面に面光源装置（図示せず）を配置し、該面光源装置から発する光により、表示パネルＰを透過させ、画像を表示することができる。表示パネルＰの外周を覆うように、外装が装着される。
【００１８】
外装は、表示パネルＰの上側と左右側を覆うように上ベゼル２と、下側を覆うように下ベゼル４が配置されている。下ベゼル４の略中央には、操作部５が配置されている。操作部５は、表示パネル２で表示される画像の明るさやコントラストを設定したりや入力切換したりするために、使用されるものである。
【００１９】
上ベゼル２の上側の左右四隅には、連結部３が配置されている。連結部３の正面略中央にはネジ穴３ｈが形成されている。また、下ベゼル４の左右端にもネジ穴４ｈが形成されている。画像表示装置１は、自立するために下部に脚部６を２か所具備している。
【００２０】
図２は第１の実施形態に係る画像表示装置の保護板を取り付ける場合の説明図である。画像表示装置１の表示パネルＰを保護するために、ユーザーは保護板７を用意し、表示パネルＰの前面に装着する。保護板７はアクリルやポリカーボネートのような透明な板材を利用して、画像を視認する場合もあるが、運搬用途のみを鑑みて、プラスチック製の段ボールシートの場合もある。
【００２１】
保護板７の四隅には丸孔７ｈが空いており、該丸孔７ｈを通してネジ７ｓを使用して、画像表示装置１のネジ穴３ｈに螺合する。このようにして保護板７を画像表示装置１に固定することができる。
【００２２】
図３は第１の実施形態に係る画像表示装置のベゼルの分解斜視図である。上ベゼル２は上側面２ｓｔ、右側面２ｓｒ、左側面２ｓｌと上正面２ｆｔ、右正面２ｆｒ、左正面２ｆｌから構成される。上ベゼル２の上側の隅部、つまり上側面２ｓｔと右側面２ｓｒ、上正面２ｆｔと右正面２ｆｒで囲われた空間２ｃｒと反対の隅部である空間２ｃｌを覆うように、連結部３を配置させる。また、上ベゼル２を挟むように、連結部３の後方より金具８がネジ８ｓを使用して螺合する。
【００２３】
次に、連結部３近傍の構成を、図４に示す第１の実施形態に係る画像表示装置のベゼルの隅部詳細図で説明する。連結部３にはボス３ｂが２か所形成されている。該ボス３ｂは、上ベゼル２の上正面２ｆｔおよび右正面２ｆｒそれぞれに設けられた突部２ｅｔと２ｅｒに空けられた丸孔２ｈｔと２ｈｒに挿入される。上ベゼル２を挟むように連結部３と金具８を配置させる。金具８は丸孔８ｈが２か所空いており、ボス８ｂが金具８に係合されている。前記丸孔８ｈを通してネジ８ｓを使用して、連結部３のボス３ｂへ固定される。前記ボス８ｂは連結部３の対向面側にネジタップが切ってあり、保護板７を取りつける際は、丸孔３ｈを通して、ボス８ｂへネジ固定される。
【００２４】
ユーザーが保護板７を取り付ける際に不用意に強い力でネジを固定し、ボス８ｂのネジ山が破損した場合、上ベゼル２と別体になった金具８のみを交換すればよく、メンテナンス性に優れた筺体構造を提供することが可能である。
【００２５】
（実施例２）
実施例２は連結部の構造を別の構成とした場合の例である。図５は第２の実施形態に係る画像表示装置のベゼルの分解斜視図である。実施例１と同様に、上ベゼル２２は上側面２２ｓｔ、右側面２２ｓｒ、左側面２２ｓｌと上正面２２ｆｔ、右正面２２ｆｒ、左正面２２ｆｌから構成される。上ベゼル２２の上側の隅部、つまり上側面２２ｓｔと右側面２２ｓｒ、上正面２２ｆｔと右正面２２ｆｒで囲われた空間２２ｃｒと反対の隅部である空間２２ｃｌを覆うように、連結部２３を配置させる。また、上ベゼル２２を挟むように、連結部２３の後方より金具２８がネジ２８ｓを使用して螺合する。
【００２６】
図６は第２の実施形態に係る画像表示装置のベゼルの隅部詳細図である。連結部２３にはボス２３ｂが２か所形成されている。該ボス２３ｂは、上ベゼル２２の上正面２２ｆｔおよび右正面２２ｆｒそれぞれに設けられた突部２２ｅｔと２２ｅｒに空けられた丸孔２２ｈｔと２２ｈｒに挿入される。上ベゼル２２を挟むように連結部２３と金具２８を配置させる。金具２８は丸孔２８ｈが２か所空いており、実施例１同様に、ネジ２８ｓは、丸孔２８ｈを通してボス２３ｂへ係合される。
【００２７】
上ベゼル２２の突部２２ｅｔは、丸孔２２ｈｔの他に、ファスナー２２ｂが係合されており、該ファスナー２２ｂは、その内側にネジタップが切られている。また、金具２８には、絞り部２８ｂが形成されている。ユーザーは保護板７を装着する際は、丸孔２２ｈｔにネジを挿入して、ファスナー２２ｂへネジ止めすることにより、保護板７を固定する。前記絞り部２８ｂは、ユーザーが規程長さ以上のネジを誤って挿入した場合に、他の内部部品に損傷を与えないようにストッパーの役割をするものである。
【００２８】
実施例１と同様に、ユーザーが不用意に強い力でネジ止めした際に、ファスナー２２ｂのみがネジ山の破損をするため、ファスナー２２ｂを外して修理すればよく、メンテナンス性の良い筺体構造を提供することが可能である。
【００２９】
（実施例３）
実施例３は実施例２同様に連結部の構成を変えた場合の例である。図７は第３の実施形態に係る画像表示装置のベゼルの分解斜視図である。実施例２と同様に、上ベゼル３２は上側面３２ｓｔ、右側面３２ｓｒ、左側面３２ｓｌと上正面３２ｆｔ、右正面３２ｆｒ、左正面３２ｆｌから構成される。上ベゼル３２の上側の隅部、つまり上側面３２ｓｔと右側面３２ｓｒ、上正面３２ｆｔと右正面３２ｆｒで囲われた空間３２ｃｒと反対の隅部である空間３２ｃｌを覆うように、連結部３３を配置させる。実施例１や実施例２との違いは、連結部３３の後方に金具を配置しないことである。
【００３０】
図８は第３の実施形態に係る画像表示装置のベゼルの隅部詳細図である。連結部３３にはボス３３ｂが２か所形成されている。該ボス３３ｂは、上ベゼル３２の上正面３２ｆｔおよび右正面３２ｆｒそれぞれに設けられた突部３２ｅｔと３２ｅｒに空けられた丸孔３２ｈｔと３２ｈｒに挿入される。連結部３３の固定は、ネジ３８ｓを使用して、ボス３３ｂへネジ止めすることにより行う。また、連結部３３にはもう一つのボス３３ｆが形成されている。ボス３３ｆは、ベゼル３２の正面側にはネジタップが形成されており、ネジが螺合することができるようになっている。
【００３１】
ユーザーは保護板７を装着する際は、ボス３３ｆへネジ止めを行うことにより、保護板７を固定することができる。ユーザーが不用意に強い力でネジ止めした際に、ボス３３ｆのみがネジ山の破損を発生するため、連結部３３のみを外して修理すればよく、メンテナンス性の良い筺体構造を提供することが可能である。
【００３２】
従来ではベゼルに直接ネジタップを形成してネジ止めをする為、ネジ山が破損した場合は、ベゼルを全て交換することになっていた。しかし、以上のように、本実施の形態のように、ネジタップを形成した部品をベゼルと別体とすることにより、該当する部分のみを交換すればよく、メンテナンス性の優れた筺体構造にすることが可能である。
【符号の説明】
【００３３】
１  画像表示装置、２，２２，３２  上ベゼル、３，２３，３３  連結部、
４  下ベゼル、５  操作部、６  脚部、７  保護板、８，２８  金具
【図１】
2016085258.tif 000003
【図２】
2016085258.tif 000004
【図３】
2016085258.tif 000005
【図４】
2016085258.tif 000006
【図５】
2016085258.tif 000007
【図６】
2016085258.tif 000008
【図７】
2016085258.tif 000009
【図８】
2016085258.tif 000010
【図９】
2016085258.tif 000011